(57)【要約】【課題】  本発明は、前記従来技術の問題を鑑みてなされたもので、吸引器の吸引能力を効率的に使用し、吸引器の吸引能力を効率的に使用し、製織後の織布幅の水分率に応じて脱水能力を調整し、脱水後の水分率をより均等化することを目的とする。【解決手段】  本発明の装置は、織機のフレーム間に配置され、織布に接する吸引口を有したサクションチューブと、第一及び第二の気水分離器と、サクションチューブの反給糸側端部から第一の気水分離器に接続する第一の接続管と、サクションチューブの給糸側端部から第二の気水分離器に接続する第二の接続管と、少なくとも１つの吸引器と、第一の気水分離器と吸引器とを接続する第三の接続管と、第二の気水分離器と吸引器とを接続する第四の接続管とを備えていることを要旨とする。【選択図】  図２
2006045719.tif 000002
【特許請求の範囲】
【請求項１】
織機のフレーム間に配置され、織布に接する吸引口を有したサクションチューブと、第一及び第二の気水分離器と、サクションチューブの反給糸側端部から第一の気水分離器に接続する第一の接続管と、サクションチューブの給糸側端部から第二の気水分離器に接続する第二の接続管と、少なくとも１つの吸引器と、第一の気水分離器と吸引器とを接続する第三の接続管と、第二の気水分離器と吸引器とを接続する第四の接続管とを備えていることを特徴とする水噴射式織機の脱水装置。
【請求項２】
吸引器からサクションチューブの反給糸側端部に至るまでの流路における圧力損失が、吸引器からサクションチューブの給糸側端部に至るまでの流路における圧力損失に対して同等以下であることを特徴とする請求項１に記載の水噴射式織機の脱水装置。
【請求項３】
第三の接続管に接続された第一の吸引器と、第四の接続管に接続された第二の吸引器とを備えていることを特徴とする請求項１又は請求項２のいずれかに記載の水噴射式織機の脱水装置。
【発明の詳細な説明】
【技術分野】
【０００１】
この発明は、水噴射式織機の機上脱水装置に関する。
【背景技術】
【０００２】
水噴射式織機で製織後、水を含んだ織布から水分を吸引し脱水する織幅に渡って延在するサクションチューブには、織布との接触面に、全幅に渡って吸引口が設けられている。吸引口から吸引された水分は、サクションチューブの一端に設けられた配管から、気水分離器に吸引され排水される。気水分離器の先には吸引用のブロアが設けられている。
【０００３】
このような脱水装置を改良した水噴射式織機の機上脱水装置として、特許文献１があげられる。
【０００４】
特許文献１は、従来設置されている気水分離器からサクションチューブに延在する配管を分岐し、サクションチューブの両端と接続させた水噴射式織機の機上脱水装置である。
【特許文献１】特開平１０−４６４４９号公報
【発明の開示】
【発明が解決しようとする課題】
【０００５】
特許文献１には気水分離器からサクションチューブに延在する配管を分岐し、サクションチューブの両端と接続させた水噴射式織機の機上脱水装置が開示されている。
【０００６】
この装置は、緯糸給糸側に設けられた気水分離器及びブロアに、配管を通じて接続されたサクションチューブを設けている。その配管を分岐してサクションチューブの反給糸側にも配管を接続し、サクションチューブの両端から吸引した水を排水するように構成されている。
【０００７】
しかし、反給糸側から給糸側に設けられた気水分離器まで、配管が延在しているため、ブロアにおける吸引力は反給糸側では十分に得られない。また、水分を多く含んだ空気を吸引口の反給糸側から気水分離器まで長い経路を吸引するため、必要な吸引能力が増大し非効率的である。
【０００８】
従って本発明の目的は、吸引器の吸引能力を効率的に使用し、かつ製織後の織布の左右の水分率差に応じて脱水能力を調整し、脱水後の左右の水分率をより均等化することである。
【課題を解決するための手段】
【０００９】
本発明の装置は、織機のフレーム間に配置され、織布に接する吸引口を有したサクションチューブと、第一及び第二の気水分離器と、サクションチューブの反給糸側端部から第一の気水分離器に接続する第一の接続管と、サクションチューブの給糸側端部から第二の気水分離器に接続する第二の接続管と、少なくとも１つの吸引器と、第一の気水分離器と吸引器とを接続する第三の接続管と、第二の気水分離器と吸引器とを接続する第四の接続管とを備えている。
【００１０】
吸引器からサクションチューブの反給糸側端部に至るまでの流路における圧力損失が、吸引器からサクションチューブの給糸側端部に至るまでの流路における圧力損失に対して同等以下である。
【００１１】
また、第三の接続管に接続された第一の吸引器と、第四の接続管に接続された第二の吸引器とを備えている。
【発明の効果】
【００１２】
本発明の構成によれば、サクションチューブの両端に設けられた接続管にそれぞれ気水分離器を設けているため、吸引口からより近い位置に気水分離器を設けることができる。そのため、水分を多く含んだ空気を吸引する経路が短くなり、吸引力を効率的に利用することが可能である。また、サクションチューブから気水分離器間の接続管の経路がほぼ垂直に配置されるので、接続管内に付着した水滴なども管内に付着したまま残ることなく、気水分離器を介して排出される。
【００１３】
特に広幅織物などの場合、緯糸の搬送距離が長いため多くの噴射水量を必要とし、また、織布の面積が広がる分、吸引される水分量が増大するため、気水分離器の処理能力が従来のままでは不足する場合がある。この場合、処理しきれなかった水が吸引器に吸引されて、吸引器の故障の原因ともなる。しかし、気水分離器を２ヶ所に、且つ、サクションチューブ接続口より近い位置に設けることにより、十分な処理能力を確保することができる。
【００１４】
同様に、広幅織物の場合、吸引器の吸引力を十分に確保するために、吸引器を２ヶ所に設けることで全体の吸引力を増大させることが可能である。さらには、吸引口から吸引器までの接続管の経路を短くすることが可能となるため、接続管内における圧力損失を考慮することなく、吸引器の吸引力を最大限利用可能となる。
【００１５】
また、サクションチューブの両端から吸引することにより、織布の脱水が全幅において均一に行われ、水分率の均等化が可能となる。また、吸引口から吸引器までの圧力損失を変更することで、織幅の左右の脱水能力の調整が可能となるため、製織後の織布の左右の水分率差に応じて脱水能力を調整し、脱水後の水分率をより均等化することが可能となる。
【００１６】
更に、吸引器を２ヶ所に設けることで、吸引器の能力、及び、吸引口から吸引器までの圧力損失をそれぞれ自由に選択可能となり、サクションチューブの反給糸側と給糸側との吸引力を容易に調整可能となる。
【発明を実施するための最良の形態】
【００１７】
以下、本発明の実施形態を図面に基づいて詳述する。
【００１８】
第一の実施の形態を図１及び図２に示す。織布２はテンプル３を経由してサクションチューブ１０を通過し、複数のローラ間を進行し巻取りビーム４に巻き取られる。サクションチューブ１０の織布接触面には織布２の幅方向に吸引口１５が設けられており、この吸引口１５から織布に含まれた水分を吸引する。吸引口１５は、スリットでも良いし、複数の穴を設けた物でも良い。サクションチューブ１０には気水分離器３１、３２及び吸引器４０が配管を介して接続されている。
【００１９】
サクションチューブ１０は、織幅方向全域に渡って設けられている。サクションチューブ１０の反緯入側吸引口１２には第一の接続管２１が第一の気水分離器３１に、緯入側吸引口１１には第二の接続管２２が第二の気水分離器３２に繋がるように設けられている。
【００２０】
第一の気水分離器３１には第三の接続管２３が、第二の気水分離器３２には第四の接続管２４が吸引器４０に繋がるように設けられている。ブロア等の吸引器４０によって、空気の吸引が行われている。気水分離器３１には水を排水する排水管３５と第三の接続管２３が、気水分離器３２には水を排水する排水管３５と第四の接続管２４が設けられている。
【００２１】
本実施例では、第三の接続管２３と第四の接続管２４とは、吸引器４０に至る途中で合流し１本の接続管となっている。このように、吸引器４０に接続する前に合流するのではなく、それぞれの接続管が直接吸引器４０に接続されていても良い。
【００２２】
第一の接続管２１と第二の接続管２２、及び第三の接続管２３と第四の接続管２４はほぼ同径、同長である。第三の接続管２３と第四の接続管２４の気水分離器３１、３２との各接続部から合流部までは２つの接続管が同一に形成されている。
【００２３】
第一の接続管２１と第二の接続管２２、第三の接続管２３と第四の接続管２４が同径、同長であり、また第一の気水分離器３１および第二の気水分離器３２とは同一の構造となっている。よって、吸引器からサクションチューブの反給糸側端部に至るまでの流路における圧力損失が、吸引器からサクションチューブの給糸側端部に至るまでの流路における圧力損失に対して同等である。従って、サクションチューブ１０の反緯入側吸引口１２と緯入側吸引口１１との吸引能力は等しくなる。これにより、サクションチューブ１０全域においてほぼ均一の吸引力を得ることが可能となる。
【００２４】
第二の実施の形態を図３に示す。第一の実施の形態に対して、吸引器４０を２つ設けている。第三の接続管２３には第一の吸引器４１が、第四の接続管２４には第二の吸引器４２が接続されている。第三の接続管２３と第四の接続管２４はほぼ同径、同長である。
【００２５】
第三の実施の形態を図４に示す。第一の実施の形態に対して、第三の接続管２３及び第四の接続管２４の長さが異なっている。吸引器４０は反緯入側に設置されている。このため、サクションチューブ１０の反緯入側吸引口１２側に繋がる第三の接続管２３の長さは、第四の接続管２４の長さに比べて短くなっている。これによって、吸引器４０から反緯入側吸引口１２に至る流路の圧力損失は、吸引器４０から緯入側吸引口１１に至る流路の圧力損失に比べて少なくなる。
【００２６】
サクションチューブ１０の反緯入側吸引口１２から吸引器４０間の流路側の圧力損失が少なくなることにより、サクションチューブ１０の反緯入側吸引口１２の吸引力は、緯入側吸引口１１の吸引力に比べて増大する。
【００２７】
第四の実施の形態を図５に示す。第三の実施の形態に対して、吸引器４０が緯入側に配置された例である。
【００２８】
第五の実施の形態を図６に示す。第二の実施の形態に対して、第一の接続管２１の長さが、第二の接続管２２の長さよりも短くした例である。このため、吸引器からサクションチューブの反給糸側端部に至るまでの流路における圧力損失が、吸引器からサクションチューブの給糸側端部に至るまでの流路における圧力損失に対して同等以下となる。それに伴って、サクションチューブ１０の緯入側の吸引口１１に比べ、反緯入側の吸引口１２の吸引力が増大する。
【００２９】
通常、水噴射式織機では、緯入側に比べて反緯入側の織布の方が水分の含有率が多く、より強力な脱水を必要とする。従って、サクションチューブ１０の反緯入側吸引口１２の吸引力が緯入側吸引口１１の吸引力よりも強くなることにより、織布脱水がより均一に行われる結果となる。
【００３０】
また、第二の実施の形態において、反緯入側の吸引器４１の吸引能力が、緯入側の吸引器４２よりも大きいものを用いることにより、同様に反緯入側の脱水能力を高め、織布の左右の水分率を均一化することが可能となる。
【００３１】
上記実施の形態では、２つの接続管の内径は同じものを用いたが、圧力損失を減少させるためには太い径の、増大させるためには細い径の接続管を用いると良い。また、サクションチューブ１０での脱水後の織布の織り幅における左右の水分率を考慮して、上記における必要な圧力損失の差を求めることができる。
【００３２】
また、上記第一及び第三の実施の形態では、第三の接続管と第四の接続管とが途中で合流しているが、共通の吸引器４０に２つの接続口を設けることにより、各気水分離器と吸引器４０を完全に分離独立した第三の接続管と第四の接続管とで接続してもよい。
【００３３】
また、第三の接続管と第四の接続管が合流する前の接続管の少なくとも一方に、吸引力調整部５１、５２（図２）、具体的には、空気圧調整用の穴を設けるか、絞り弁を設けても良い。織幅が変更されたとき、一般に反緯入側の織端位置が変わる。
【００３４】
このとき、吸引口１５のうち、織布に対応しない部分はテープなどで塞がれるが、両側の織幅部分に対する吸引口１５の各吸引力に差が生じるので、空気穴を設けた場合には、必要に応じて穴を開閉することにより、空気穴を設けた接続管の圧力損失の調整を行うことが可能となる。また、絞り弁を設けた場合には、吸引器の吸引能力を減少させることなく、第三及び第四の接続管の圧力損失が調整可能となる。
【００３５】
本発明は上記実施例に限定されず、その趣旨を逸脱しない限り種々変更することができる。
【図面の簡単な説明】
【００３６】
【図１】水噴射式織機における織布経路の略図である。
【図２】第一の実施の形態における配管装置の断面図である。
【図３】第二の実施の形態における配管装置の断面図である。
【図４】第三の実施の形態における配管装置の断面図である。
【図５】第四の実施の形態における配管装置の断面図である。
【図６】第五の実施の形態における配管装置の断面図である。
【符号の説明】
【００３７】
２    織布
３    テンプル
４    巻取りビーム
１０  サクションチューブ
１１  緯入側吸引口
１２  反緯入側吸引口
１５  吸引口
２１  第一の接続管
２２  第二の接続管
２３  第三の接続管
２４  第四の接続管
３１  第一の気水分離器
３２  第二の気水分離器
３５  配水管
４０  吸引器
４１  第一の吸引器
４２  第二の吸引器
５１、５２  吸引力調整部
【図１】
2006045719.tif 000003
【図２】
2006045719.tif 000004
【図３】
2006045719.tif 000005
【図４】
2006045719.tif 000006
【図５】
2006045719.tif 000007
【図６】
2006045719.tif 000008